(57)【要約】【課題】周辺の建造物などとの接触を回避できる構造の雨樋を備えたエンジン作業機を提供する。【解決手段】雨樋２０は、前面上パネル１４ａの点検扉１５側縁部からケーシング内方側に向けて傾斜させて設けられた傾斜ガイド部２２と、該傾斜ガイド部２２の内端部外面からケーシング外方側に向かって突出した雨水ガイド部２３ａと、雨水ガイド部２３ａの先端部から上方に向けて屈曲した立上部２３ｂとを有する。立上部２３ｂの外面を前面上パネル１４ａの外面から突出しない位置に配置する。立上部２３ｂの上端部と傾斜ガイド部２２の上端部との間に開口部２３ｃを形成し、ケーシング外面側が開口した溝状に形成する。【選択図】図１
2010209697.tif 000002
【特許請求の範囲】
【請求項１】
側壁に吸気口を有するケーシングの内部に作業機器と該作業機器を駆動するエンジンとを収容し、前記吸気口の上方に雨樋を備えたエンジン作業機において、前記雨樋は、側壁パネルの前記吸気口側端縁部からケーシング内方側に向けて傾斜させて設けられた傾斜ガイド部と、該傾斜ガイド部の内端部外面からケーシング外方側に向かって突出した雨水ガイド部と、該雨水ガイド部の先端部から上方に向けて屈曲した立上部とを有し、該立上部の外面を前記側壁パネルの外面から突出しない位置に配置するとともに、該立上部の上端部と前記傾斜ガイド部の上端部との間に開口部を形成し、ケーシング外面側が開口した溝状に形成されていることを特徴とするエンジン作業機。
【請求項２】
前記雨樋が前記ケーシングに設けられた吸気口付開閉扉の上部に設けられ、前記傾斜ガイド部の内端部から側壁パネルの外面に平行な方向の戸当たり部が延設されていることを特徴とする請求項１記載のエンジン作業機。
【請求項３】
前記吸気口付開閉扉の上部に設けられ雨樋の両端部に、該雨樋に上端部が連通し、下端部がケーシング下部に至る縦樋をそれぞれ備えていることを特徴とする請求項２記載のエンジン作業機。
【請求項４】
前記雨樋の断面形状と，前記縦樋の断面形状が同一であることを特徴とする請求項３記載のエンジン作業機。
【請求項５】
前記ケーシングの天板の側端部に横樋となる凹溝が設けられていることを特徴とする請求項１乃至４のいずれか１項記載のエンジン作業機。
【請求項６】
前記ケーシングの天板に設けられた前記横樋の端部に、該横樋に上端部が連通し、下端部がケーシング下部に至る縦樋を備えていることを特徴とする請求項５記載のエンジン作業機。
【発明の詳細な説明】
【技術分野】
【０００１】
本発明は、エンジンによって発電機や圧縮機などの作業機器を駆動するエンジン作業機に係り、詳しくは、作業機器やエンジンを収容するケーシングに雨樋を備えたエンジン作業機に関する。
【背景技術】
【０００２】
従来、エンジン作業機は、ケーシング内に作業機器と該作業機器を駆動するエンジンとを収容し、ケーシングには、内部を冷却するために外気を取り入れる吸気口や、冷却後の空気を放出する排気口が形成されている。また、屋外で使用されるエンジン作業機では、吸気口から雨水がケーシング内に浸入しないように雨樋を設けている。このような雨樋として、周辺の建造物などに接触しても雨樋が破損しないように、雨樋を柔軟性を有する部材で形成することが行われている（例えば、特許文献１参照。）。
【先行技術文献】
【特許文献】
【０００３】
【特許文献１】特開２００８−５１０８７号公報
【発明の概要】
【発明が解決しようとする課題】
【０００４】
しかし、柔軟性を有する部材を使用しても、大きな外力を受けたり、長時間にわたって外力を受けた場合には、変形したり、破損したりすることがあり、また、樹脂材の場合は、屋外での使用で劣化が進み、柔軟性が失われるおそれがあった。
【０００５】
そこで本発明は、周辺の建造物などとの接触を回避できる構造の雨樋を備えたエンジン作業機を提供することを目的としている。
【課題を解決するための手段】
【０００６】
上記目的を達成するため、本発明のエンジン作業機は、側壁に吸気口を有するケーシングの内部に作業機器と該作業機器を駆動するエンジンとを収容し、前記吸気口の上方に雨樋を備えたエンジン作業機において、前記雨樋は、側壁パネルの前記吸気口側端縁部からケーシング内方側に向けて傾斜させて設けられた傾斜ガイド部と、該傾斜ガイド部の内端部外面からケーシング外方側に向かって突出した雨水ガイド部と、該雨水ガイド部の先端部から上方に向けて屈曲した立上部とを有し、該立上部の外面を前記側壁パネルの外面から突出しない位置に配置するとともに、該立上部の上端部と前記傾斜ガイド部の上端部との間に開口部を形成し、ケーシング外面側が開口した溝状に形成されていることを特徴としている。
【０００７】
また、前記雨樋が前記ケーシングに設けられた吸気口付開閉扉の上部に設けられ、前記傾斜ガイド部の内端部から側壁パネルの外面に平行な方向の戸当たり部が延設されていても良く、前記吸気口付開閉扉の上部に設けられ雨樋の両端部に、該雨樋に上端部が連通し、下端部がケーシング下部に至る縦樋をそれぞれ備えることもできる。さらに、前記雨樋の断面形状と、前記縦樋の断面形状が同一であると良く、前記ケーシングの天板の側端部に横樋となる凹溝が設けられていても良い。また、前記ケーシングの天板に設けられた前記横樋の端部に、該横樋に上端部が連通し、下端部がケーシング下部に至る縦樋を備えることもできる。
【発明の効果】
【０００８】
本発明のエンジン作業機によれば、ケーシングの内側に凹んだ状態で雨樋を形成し、雨樋をケーシングの外側に突出させていないことから、周辺の建造物などとケーシングが接触しても雨樋が破損することはなく、雨樋としての機能が失われることはない。また、横樋に連続して縦樋を設けることにより、横樋に集められた雨水を縦樋を通してケーシングの下方に排出することができるので、横樋に集められた雨水がケーシングの外面に沿って流下することがなくなり、吸気口周辺の外壁面に雨水が流れた跡が付いたり、水垢が付着してケーシングの外面を汚すことがなくなる。
【図面の簡単な説明】
【０００９】
【図１】本発明の第１形態例を示すエンジン作業機の正面図である。
【図２】図１のII-II断面図である。
【図３】図１のIII-III断面図である。
【図４】本発明の第２形態例を示すエンジン作業機の平面図である。
【図５】同じく要部の断面側面図である。
【図６】本発明の第２形態例の変形例を示すエンジン作業機の要部切欠き平面図である。
【発明を実施するための形態】
【００１０】
図１乃至図３は本発明の第１形態例を示すものである。本形態例に示すエンジン作業機１１は、床台１２の上部に配設された防音構造を有するケーシング１３の内部に、発電機や圧縮機、ポンプなどの作業機と、該作業機を駆動するエンジンとを収容したものであって、ケーシング１３の前面側壁１４には、内部の作業機やエンジンを点検するための点検扉１５，１５が設けられるとともに、該点検扉１５を含む前面側壁１４には、外部からケーシング１３内に冷却空気を取り込むための複数の吸気口１６が設けられ、ケーシング１３の天板１３ａには、冷却後の空気を排出する排気口１７が設けられている。また、ケーシング１３の上部には、エンジン作業機１１を吊り上げる際にクレーンのフックやワイヤーロープ等の吊り上げ具を係合させるための吊り金具１８が設けられている。
【００１１】
点検扉１５，１５は、ケーシング１３の前面側壁１４を構成する前面上パネル１４ａ、前面左パネル１４ｂ及び前面右パネル１４ｃと前記床台１２とによって区画された長方形の開口１４ｄに対して開閉可能に設けられており、開口内縁となる各前面パネル１４ａ，１４ｂ，１４ｃの開口端縁には、開口１４ｄの上部に水平方向に設けられた雨樋２０と、開口１４ｄの左右に鉛直方向に設けられた一対の縦樋２１，２１とがそれぞれ設けられている。
【００１２】
図２及び図３にそれぞれ示すように、本形態例に示す雨樋２０の断面形状と縦樋２１の断面形状とは同一に形成されており、前面側壁１４を構成する各前面パネル１４ａ，１４ｂ，１４ｃの開口端をケーシング１３の内方側に向けて雨水が流入しやすい角度である約４５度の角度で傾斜させた傾斜ガイド部２２と、該傾斜ガイド部２２の内端部外面からケーシング外方側に向かって突出するように設けられた雨水ガイド部材２３と、傾斜ガイド部２２の内端部から各前面パネル１４ａ，１４ｂ，１４ｃと平行な方向に延設した戸当たり部２４とで形成されている。
【００１３】
雨水ガイド部材２３は、各前面パネル１４ａ，１４ｂ，１４ｃに対して直交する方向の雨水ガイド部２３ａと、該雨水ガイド部２３ａの先端部（外端部）から反開口側に向けて屈曲した立上部２３ｂとを有しており、立上部２３ｂの外面は、各前面パネル１４ａ，１４ｂ，１４ｃの外面と面一又は外面から突出しない範囲に設けられ、前記傾斜ガイド部２２における各前面パネル１４ａ，１４ｂ，１４ｃに対する屈曲位置（雨樋２０では上端部）２２ａと立上部２３ｂの先端（雨樋２０では上端部）との間には、雨水ガイド部材２３の長手方向に連続する開口部２３ｃが設けられている。
【００１４】
また、各縦樋２１の立上部２３ｂにおける上下２箇所には、前記開口部２３ｃを覆う形状のヒンジ取付片２３ｄがそれぞれ突出しており、このヒンジ取付片２３ｄに、前記点検扉１５を開閉可能に支持するヒンジ１５ａがそれぞれ固着されている。さらに、前記各戸当たり部２４の外面には、点検扉１５の外縁部分が当接する戸当たりパッキン１５ｂが連続的に設けられている。
【００１５】
前記雨樋２０の両端と前記各縦樋２１の上端とは、例えば４５度の留め継ぎによって接合されており、傾斜ガイド部２２と雨水ガイド部材２３との間に形成される凹溝状の雨水の流路が雨樋２０から各縦樋２１に連続するように形成されている。これにより、ケーシング１３の前面側壁１４には、点検扉１５の上部から左右に連続し、ケーシング外面側が開口した凹溝状の雨樋部が形成される。
【００１６】
雨天時に、前面上パネル１４ａの外面を伝わって流れ落ちる雨水は、前面上パネル１４ａの下部に位置する雨樋２０の傾斜ガイド部２２に沿って開口部２３ｃから雨樋２０の内部に流入し、傾斜ガイド部２２と立上部２３ｂとに挟まれた雨水ガイド部２３ａの上面に集められて左右方向に向かって流れ、雨水ガイド部２３ａの両端から、雨樋２０に連続した各縦樋２１の傾斜ガイド部２２と立上部２３ｂとに挟まれた雨水ガイド部２３ａの反扉側の側面に流下し、各縦樋２１の下端部からケーシング１３の下方に流れていく。
【００１７】
このように形成した雨樋２０及び縦樋２１を備えたエンジン作業機１１は、雨樋２０及び縦樋２１が各前面パネル１４ａ，１４ｂ，１４ｃの外面から突出しないため、エンジン作業機１１を吊り上げて搬送する際の作業の邪魔になることはなく、搬送中に、ケーシング１３の外面が周辺の建造物などに接触しても雨樋２０及び縦樋２１が破損することはないことから、雨樋としての機能が失われることはなく、点検扉１５の部分や吸気口１６の部分に大量の雨水が流下してケーシング１３の内部に浸入することを防止できる。
【００１８】
また、水平方向の雨樋２０に連続して縦樋２１を設けたことにより、雨樋２０で受けた雨水を縦樋２１によってケーシング１３の下方に流下させることができるので、ケーシング１３の外面に雨水が流れた跡や水垢が付着することを防止し、ケーシング１３の外観を長期にわたってきれいな状態に保つことができる。
【００１９】
さらに、前面右パネル１４ｃに設けた吸気口１６の上部や側方部分に前記同様の雨樋を設け、戸当たり部を利用してガラリ枠を固定することにより、この吸気口１６からケーシング１３の内部に雨水が浸入することを防止できる。
【００２０】
なお、本形態例では、傾斜ガイド部２２と戸当たり部２４とを前面パネルの端部を折曲げ加工することによって一体に形成しているが、戸当たり部が不要な場合には戸当たり部を省略することができ、戸当たり部を省略した場合は、傾斜ガイド部２２と雨水ガイド部２３ａ及び立上部２３ｂとを一体に折曲げ形成することが可能である。
【００２１】
また、点検扉１５以外の前面部分に雨水が流れ落ちても差し支えないときには、雨樋２０の立上部２３ｂの両端部を切り欠いて雨水を流下させるように形成することで縦樋２１を省略することも可能である。
【００２２】
さらに、水平方向の雨樋２０と縦樋２１の断面形状を同一に形成することにより、両樋を留め継ぎによって水密状態で容易に接合することができるが、雨樋２０とは別形状の縦樋を設け、適宜な接合部材を介して両樋を連通させることもできる。
【００２３】
図４乃至図５は、ケーシングの天板側端部に雨樋を設けた本発明の第２形態例を示している。本形態例では、ケーシング１３の天板１３ａの前面側及び背面側の両側端部に、横樋３１となる凹溝を形成し、この横樋３１の両端を、ケーシング１３の側方に開口させている。このように、天板１３ａの両側端部に凹溝からなる横樋３１を設けることにより、天板１３ａ上に降った雨水を、横樋３１に集めてケーシング１３の側方に流下させることができるので、ケーシング１３の前面に設けられた点検扉１５や吸気口１６の部分に流れ落ちる雨水の量を少なくすることができ、点検扉１５や吸気口１６からケーシング１３の内部への雨水の浸入を低減することができる。
【００２４】
さらに、図６に示すように、ケーシング１３の前面パネルや後面パネル１３ｂの内側に、角パイプやチャンネル部材で形成した内部縦樋３２を設け、該内部縦樋３２の上部と前記横樋３１の端部とを連通させることにより、横樋３１に集めた雨水を内部縦樋３２からケーシング１３の下方に流下させることができる。これにより、ケーシング１３の側面に雨水が流れた跡や水垢が付着して外観を損なうことを防止できる。
【符号の説明】
【００２５】
１１…エンジン作業機、１２…床台、１３…ケーシング、１３ａ…天板、１３ｂ…後面パネル、１４…前面側壁、１４ａ…前面上パネル、１４ｂ…前面左パネル、１４ｃ…前面右パネル、１４ｄ…開口、１５…点検扉、１５ａ…ヒンジ、１５ｂ…戸当たりパッキン、１６…吸気口、１７…排気口、１８…吊り金具、２０…雨樋、２１…縦樋、２２…傾斜ガイド部、２２ａ…屈曲位置、２３…雨水ガイド部材、２３ａ…雨水ガイド部、２３ｂ…立上部、２３ｃ…開口部、２３ｄ…ヒンジ取付片、２４…戸当たり部、３１…横樋、３２…内部縦樋
【図１】
2010209697.tif 000003
【図２】
2010209697.tif 000004
【図３】
2010209697.tif 000005
【図４】
2010209697.tif 000006
【図５】
2010209697.tif 000007
【図６】
2010209697.tif 000008